(57)【要約】【課題】車両が建造物の周辺を通行することを回避させる。【解決手段】人家ｈのホームセンサ類２２及び／又は迷惑防止スイッチ２３によって、人家ｈの居住者が、例えば就寝中であることが検知されると、検知情報を居住環境情報として居住環境管理センタの居住環境情報管理サーバ装置４０へと送信される。車両１が、人家ｈの周辺へと接近すると、周辺の居住環境情報を居住環境情報管理サーバ装置４０へ問い合わせる。そして、居居住環境情報管理サーバ装置４０から車両１の周辺の居住環境情報を受信した車両１は、受信した居住環境情報に基づいて、車両１に搭載されるカーナビゲーション装置に対してルート変更を指示する。車両１は、指示された変更ルートに従って進路を変更して、人家ｈへの接近を回避する。以上によって、人家ｈにて就寝中の人ｍの睡眠が車両１の騒音によって妨害されず、車両１の運転者と就寝中の人ｍとのトラブルを回避出来る。【選択図】        図１
2010092189.tif 000002
【特許請求の範囲】
【請求項１】
建造物の内部に配設されるセンサ及び／又はスイッチを介して前記建造物の居住者の動静を居住環境情報として取得する居住環境情報取得部と、前記居住環境情報取得部によって取得された前記居住環境情報を、複数の建造物の居住環境情報を管理する居住環境情報管理サーバ装置へ送信する居住環境情報送信部とを有する居住環境情報取得装置と、
前記居住環境情報取得装置から前記居住環境情報を取得してサーバ側居住環境情報記憶部に記憶させるサーバ側居住環境情報取得記憶部と、前記サーバ側居住環境情報取得記憶部によって記憶される前記居住環境情報を前記建造物の周辺に位置する車両及び／又は前記建造物に送信するサーバ側居住環境情報送信部とを有する居住環境情報管理サーバ装置と、
前記居住環境情報管理サーバ装置から前記居住環境情報を取得する車載装置側周辺居住環境情報取得部と、前記車載装置側周辺居住環境情報取得部によって取得された前記居住環境情報に基づいて前記車両の周辺の前記建造物の居住環境を判定する車載装置側周辺居住環境判定部とを有する、前記車両に備えられる車載装置と
を含むことを特徴とする周辺居住環境判定システム。
【請求項２】
前記車載装置の前記車載装置側周辺居住環境情報取得部は、前記居住環境情報管理サーバ装置に対して前記居住環境情報の送信要求を送信し、
前記居住環境情報管理サーバ装置の前記サーバ側居住環境情報送信部は、前記送信要求に応じて前記居住環境情報を前記車載装置に対して送信する
ことを特徴とする請求項１記載の周辺居住環境判定システム。
【請求項３】
前記車両の前記車載装置は、前記車載装置側周辺居住環境判定部による前記建造物の居住環境の判定結果に基づいて前記車両の走行状況の変更を指示する変更指示部
を有することを特徴とする請求項１又は２記載の周辺居住環境判定システム。
【請求項４】
前記車両は、カーナビゲーション装置を有し、
前記変更指示部は、前記車載装置側周辺居住環境判定部による前記建造物の居住環境の判定結果に基づいて前記カーナビゲーション装置に対して設定ルート変更を指示することを特徴とする請求項３記載の周辺居住環境判定システム。
【請求項５】
前記居住環境情報取得装置は、
前記居住環境情報管理サーバ装置から前記建造物の周辺の建造物の前記居住環境情報を取得する周辺居住環境情報取得部と、
前記周辺居住環境情報取得部によって取得された前記居住環境情報に基づいて前記建造物の周辺の建造物の居住環境を判定する周辺居住環境判定部と、
前記周辺居住環境判定部による判定結果に基づいて前記建造物の内部に配設される音響装置の音量を制御する音量制御部と
を有することを特徴とする請求項１〜４のいずれか一項記載の周辺居住環境判定システム。
【請求項６】
前記センサは、前記建造物又は前記建造物の周辺で発生した災害を検知するセンサを含み、
前記居住環境情報送信部は、前記センサによって検知された災害情報を前記居住環境情報管理サーバ装置へ送信し、
前記サーバ側居住環境情報送信部は、前記建造物の周辺に位置する車両及び／又は前記建造物に前記災害情報を送信する
ことを特徴とする請求項１〜５のいずれか一項記載の周辺居住環境判定システム。
【請求項７】
複数の建造物の居住環境情報を管理する居住環境情報管理サーバ装置から自車両周辺の居住環境情報を取得する車載装置側周辺居住環境情報取得部と、
前記車載装置側周辺居住環境情報取得部によって取得された前記居住環境情報に基づいて前記車両の周辺の前記建造物の居住環境を判定する車載装置側周辺居住環境判定部と
を有することを特徴とする車載装置。
【請求項８】
前記車載装置側周辺居住環境判定部による前記建造物の居住環境の判定結果に基づいて前記自車両の走行状況の変更を指示する変更指示部
を有することを特徴とする請求項７記載の車載装置。
【請求項９】
前記自車両は、カーナビゲーション装置を有し、
前記変更指示部は、前記車載装置側周辺居住環境判定部による前記建造物の居住環境の判定結果に基づいて前記カーナビゲーション装置に対して設定ルート変更を指示することを特徴とする請求項８記載の車載装置。
【請求項１０】
建造物の内部に配設されるセンサ及び／又はスイッチを介して前記建造物の居住者の動静を居住環境情報として取得する居住環境情報取得部と、
前記居住環境情報取得部によって取得された前記居住環境情報を、複数の建造物の居住環境情報を管理する居住環境情報管理サーバ装置へ送信する居住環境情報送信部と
を有することを特徴とする居住環境情報取得装置。
【請求項１１】
前記居住環境情報管理サーバ装置から前記居住環境情報を取得する周辺居住環境情報取得部と、前記周辺居住環境情報取得部によって取得された前記居住環境情報に基づいて前記建造物の周辺の建造物の居住環境を判定する周辺居住環境判定部と、
前記周辺居住環境判定部による判定結果に基づいて前記建造物の内部に配設される音響装置の音量を制御する音量制御部と
を有することを特徴とする請求項１０記載の居住環境情報取得装置。
【請求項１２】
建造物の内部に配設されるセンサ及び／又はスイッチを介して前記建造物の居住者の動静を居住環境情報として取得する居住環境情報取得装置から前記居住環境情報を取得してサーバ側居住環境情報記憶部に記憶させるサーバ側居住環境情報取得記憶部と、
前記サーバ側居住環境情報取得記憶部によって記憶される前記居住環境情報を前記建造物の周辺に位置する車両及び／又は前記建造物に送信するサーバ側居住環境情報送信部と
を有する居住環境情報管理サーバ装置。
【発明の詳細な説明】
【技術分野】
【０００１】
本発明は、車両が走行する道順の周辺の居住環境を判定し、道順を周辺の居住環境に応じて適切に変更させる周辺居住環境判定システム、車載装置、居住環境情報取得装置及び居住環境情報管理サーバ装置に関する。
【背景技術】
【０００２】
従来から、カーナビゲーション装置と呼ばれる車載装置が普及している。カーナビゲーション装置は、運転者の目的地設定に応じて、自車両の現在位置から目的地までの適切な道順（ルート）を地図上に提示する。そして、自車両の走行に伴い、自車両が道順上の何れの地点に位置するかを示す。また、自車両が交差点等の分岐点に差し掛かった場合、自車両の選択すべき分岐先を報知する。
【０００３】
【特許文献１】特開２００６−１８９２８４号公報
【発明の開示】
【発明が解決しようとする課題】
【０００４】
しかしながら、上記特許文献１に代表される従来技術では、カーナビゲーション装置は、自車両の現在位置から目的地までの道順を設定する場合、道順上周辺の住宅事情を考慮することなく道順を設定していた。このため、深夜に住宅密集地の道路を通行させて睡眠中の地域住民に騒音による迷惑を掛けたり、音響システムで音響を楽しんでいる住宅の付近を走行させて音響システムの効用を減殺してしまったりしていた。かかる状況は、車両の運転手と道路周辺の地域住民とのトラブルを引き起こしかねなかった。
【０００５】
本発明は、上記問題点（課題）を解消するためになされたものであって、住宅などの建造物の居住者の動静等の居住環境情報をサーバ装置にて集中管理し、建造物の周辺を通行する車両に対して居住環境情報を通知し、車両の車載装置に周辺居住環境を判定させることによって、車両が建造物の周辺を通行することを回避にさせる周辺居住環境判定システム、車載装置、居住環境情報取得装置及び居住環境情報管理サーバ装置を提供することを目的とする。
【課題を解決するための手段】
【０００６】
上述した問題を解決し、目的を達成するため、本発明の周辺居住環境判定システムは、建造物の内部に配設されるセンサ及び／又はスイッチを介して前記建造物の居住者の動静を居住環境情報として取得する居住環境情報取得部と、前記居住環境情報取得部によって取得された前記居住環境情報を、複数の建造物の居住環境情報を管理する居住環境情報管理サーバ装置へ送信する居住環境情報送信部とを有する居住環境情報取得装置と、前記居住環境情報取得装置から前記居住環境情報を取得してサーバ側居住環境情報記憶部に記憶させるサーバ側居住環境情報取得記憶部と、前記サーバ側居住環境情報取得記憶部によって記憶される前記居住環境情報を前記建造物の周辺に位置する車両及び／又は前記建造物に送信するサーバ側居住環境情報送信部とを有する居住環境情報管理サーバ装置と、前記居住環境情報管理サーバ装置から前記居住環境情報を取得する車載装置側周辺居住環境情報取得部と、前記車載装置側周辺居住環境情報取得部によって取得された前記居住環境情報に基づいて前記車両の周辺の前記建造物の居住環境を判定する車載装置側周辺居住環境判定部とを有する、前記車両に備えられる車載装置とを含むことを特徴とする。
【発明の効果】
【０００７】
本発明によれば、車両の運転手と道路周辺の地域住民とのトラブルを防止することが出来るという効果を奏する。また、道路周辺の地域住民は、車両の走行に伴う騒音から解放され、快適な生活を送ることが出来るという効果を奏する。
【発明を実施するための最良の形態】
【０００８】
以下に添付図面を参照し、本発明の周辺居住環境判定システム、車載装置、居住環境情報取得装置及び居住環境情報管理サーバ装置に係る実施形態の一例を詳細に説明する。なお、以下では、建造物を人家として説明する。しかし、建造物は、人家に限られず、オフィスビル、ホテル等の人が出入りする現住建造物を広く含む。また、建造物の内部に配設される音響装置は、音量自動制御機能があってもよい。また、音量自動制御機能は、オート・ゲイン・コントロール（ＡＧＣ）はなくてもよく、音量センサで取得した騒音情報を居住環境情報管理サーバ装置側で処理し、音響装置へ適正な音量制御を指示してもよい。
【０００９】
先ず、図１を参照して、実施形態の一例に係る周辺居住環境判定システムの概要について説明する。同図において、人家ｈの内部には、ホームセンサ類２２及び迷惑防止スイッチ２３が備えられている。また、人家ｈの内部には、就寝中の人ｍが存在している。ホームセンサ類２２は、人家ｈに供給される電気、ガス、水道等のライフラインの使用状況を検知する装置、及び、人家ｈの内部に存在する人の動静を検知する装置を含む。迷惑防止スイッチ２３は、人家ｈの居住者に押下されることによって、人家ｈの周辺での騒音を抑止させ静音を維持したいという居住者の意思を表明させることが出来る。
【００１０】
（１）人家ｈのホームセンサ類２２及び／又は迷惑防止スイッチ２３によって、人家ｈの居住者が、例えば就寝中であることが検知されると、検知情報を居住環境情報として居住環境管理センタの居住環境情報管理サーバ装置４０へと送信される。
【００１１】
（２）各人家ｈからホームセンサ類２２の居住環境情報を受信した居住環境情報管理サーバ装置４０は、受信した各人家ｈの居住環境情報をリアルタイムで蓄積する。（３）車両１が、人家ｈの周辺へと接近する。
【００１２】
（４）車両１は、周辺の居住環境情報を居住環境情報管理サーバ装置４０へ問い合わせる。そして、居住環境情報管理サーバ装置４０は、問い合わせに応じて、車両１の周辺の居住環境情報を車両１へ送信する。なお、居住環境情報管理サーバ装置４０は、車両１からの問い合わせに関わらず、放送型情報配信にて車両１の周辺の居住環境情報を車両１へ送信してもよい。
【００１３】
（５）居住環境情報管理サーバ装置４０から車両１の周辺の居住環境情報を受信した車両１は、受信した居住環境情報に基づいて、車両１に搭載されるカーナビゲーション装置に対してルート変更を指示する。（６）車両１は、指示された変更ルートに従って進路を変更して、人家ｈへの接近を回避する。
【００１４】
以上の様にすることによって、人家ｈにて就寝中の人ｍの睡眠が車両１の騒音によって妨害されることなく、就寝中の人ｍは、安眠できる。また、車両１の運転者は、人家ｈにて就寝中の人ｍの安眠妨害を回避するので、就寝中の人ｍとのトラブルを未然に抑止することが出来るとともに、住宅地周辺の走行頻度を抑えることができるので、運転モラルを向上させることが出来る。
【００１５】
次に、図２を参照して、実施形態の一例に係る周辺居住環境判定システムの構成を説明する。同図に示す様に、周辺居住環境判定システムＳは、ネットワークＮを介して、居住環境情報取得装置２０と、無線基地局３０及びアンテナ３０ａと、居住環境情報管理サーバ装置４０とが接続されている。また、無線基地局３０は、アンテナ３０ａを介して、車両１に搭載される車載装置１０と通信可能である。なお、無線基地局３０と車載装置１０との通信形態は、放送型通信方式（ラジオ、ＶＩＣＳ（Vehicle  Information  and  Com
munication  System、登録商標）、地上波デジタル放送等）である。
【００１６】
若しくは、車載装置１０から問い合わせを行い、問い合わせに応じて車両１の周辺の居住環境情報を受信する受信装置（ＤＣＭ（Discontinuous  Conduction  Mode：不連続導通モード）、Ｗｉ−ＭＡＸ（Worldwide  Interoperability  for  Microwave  Access、登録商標）、ＤＳＲＣ（Dedicated  Short  Range  Communication：専用狭域通信））等であってもよい。
【００１７】
車両１には、車載装置１０と、車両１の乗員の目的地設定によって現在位置から目的地までの適切なルートを提示するカーナビゲーション装置１２と、車載装置１０が無線基地局３０と通信を行うための通信インターフェースである通信装置１３及びアンテナ１３ａとが備えられている。
【００１８】
車載装置１０は、マイクロ・コンピュータ等の制御装置である車載装置側制御部１１を有する。車載装置側制御部１１は、車載装置側周辺居住環境情報取得部１１ａと、車載装置側周辺居住環境判定部１１ｂと、ルート変更指示部１１ｃとを有する。
【００１９】
車載装置側周辺居住環境情報取得部１１ａは、居住環境情報管理サーバ装置４０から、車両１の周辺の居住環境情報を取得する。前述の如く、居住環境情報管理サーバ装置４０からの居住環境情報の取得は、無線基地局３０及びアンテナ３０ａを介した放送型通信方式による。また、車載装置側周辺居住環境情報取得部１１ａから居住環境情報管理サーバ装置４０へ問い合わせを行い、問い合わせに応じて居住環境情報管理サーバ装置４０から車両１の周辺の居住環境情報を取得する通信方式を利用する。
【００２０】
車載装置側周辺居住環境判定部１１ｂは、車載装置側周辺居住環境情報取得部１１ａによって取得された車両１の周辺の居住環境情報に基づいて、車両１の周辺の居住環境が車両１の走行を控えるべき状況（例えば、深夜で周辺の住民が就寝中である状況、若しくは、周辺の住民がホームシアターシステム装置２４等の音響装置で音響を楽しんでいる状況）であるか否かを判定する。
【００２１】
ルート変更指示部１１ｃは、車載装置側周辺居住環境判定部１１ｂによって車両１の周辺の居住環境が車両１の走行を控えるべき状況であると判定された場合、カーナビゲーション装置１２に対してルート変更を指示する。ルート変更によって、車両１の周辺の居住環境の静音を打ち破ることなく周辺住民に騒音による迷惑を防止することが出来る。すなわち、深夜の周辺住民の安眠を確保し、周辺住民のホームシアターシステム装置２４等での娯楽を妨害することを防止する。
【００２２】
居住環境情報取得装置２０は、各人家ｈに配設される装置である。居住環境情報取得装置２０は、マイクロ・コンピュータ等の制御装置である制御部２１と、ホームセンサ類２２に含まれる動体／人体センサ２２ａと、人家ｈの出入り口の施錠状態を検知する施錠センサ２２ｂと、電気、ガス、水道等のライフラインの使用状況を検知するライフラインセンサ２２ｃと、人家内で発生した異臭を検知する異臭センサ２２ｄと、人家内の温度及び湿度を検知する温湿度センサ２２ｅと、人家ｈの周辺の風力、風向きを検知する風力、風向きセンサ２２ｆと、人家ｈ及び人家ｈの周辺で発生した火災を検知する火災センサ２２ｇと、人家ｈの周辺での騒音を抑止させ静音を維持したいという人家ｈの居住者の意思を表明するための迷惑防止スイッチ２３と、ホームシアターシステム装置２４と、ネットワークＮとの通信を制御する通信制御部２５とを有する。なお、動体／人体センサ２２ａ、施錠センサ２２ｂ、ライフラインセンサ２２ｃ、異臭センサ２２ｄ、温湿度センサ２２ｅ、風力、風向きセンサ２２ｆ、火災センサ２２ｇをホームセンサ類２２と総称する。
【００２３】
動体／人体センサ２２ａは、人の動きや存在を検知するセンサである。施錠センサ２２ｂによって検知された人家ｈの出入り口の施錠状態は、人家ｈの居住者の睡眠を判定する基準となりうる。また、ライフラインセンサ２２ｃによって検知される電気、ガス、水道
の使用量によって居住者の睡眠を判定する基準となりうる。また、ライフラインセンサ２２ｃは、水道管圧やガス管圧の急激な低下を検知して、水漏れやガス漏れを検出することが出来る。
【００２４】
異臭センサ２２ｄは、ガス漏れ等による異臭を検知し、人家ｈでの危険発生を居住環境情報管理サーバ装置４０へ通知することが出来る。温湿度センサ２２ｅは、例えば、火災発生などによる人家ｈの室内温度上昇を検知することが出来る。若しくは、温湿度センサ２２ｅは、人家ｈの室内の温度、湿度に基づく快適度を居住環境情報管理サーバ装置４０へ通知することができる。これによって、人家ｈの室内の温度、湿度に基づく快適度を遠隔操作することが可能になる。風力、風向きセンサ２２ｆは、人家ｈの周辺の風力、風向きを検知するため、この情報に基づいて、例えば、人家ｈ又は周辺の人家で発生した火災の延焼を推定することができる。これらのセンサによって検知され居住環境情報管理サーバ装置４０へ通知された人家ｈで発生した危険を周辺の人家又は周辺を走行する車両に通知することが出来る。このため、人家ｈで発生した危険への迅速な対処を実施することが可能になる。なお、ホームセンサ類２２は、上記したものに限られず、火災発生を検知する火災センサ、床下浸水を検知する床下センサ、各種センサの故障を検知する故障センサ等を含んでもよい。
【００２５】
また、迷惑防止スイッチ２３は、人家ｈにおける緊急事態発生に際し、例えば、救急車、消防車、警察パトロールカー等の緊急車両の人家ｈへの派遣を要請した場合に使用されてもよい。前述の機能を有する迷惑防止スイッチ２３とは別の緊急事態発生スイッチを設けてもよい。この様にすると、緊急車両の進入ルートを確保し、人家ｈの周辺に一般車両が進入して緊急車両が人家ｈへ容易に接近することができないといった事態を回避することが出来る。
【００２６】
また、引っ越し等、人家ｈの周辺に引っ越し車両以外の無関係な車両が進入することを回避することができる。すなわち、人家ｈの周辺において特定車両の通行路の確保が必要な場合に、通行路を確保することを可能にする。
【００２７】
以上のホームセンサ類２２及び迷惑防止スイッチ２３は、検知情報又はスイッチ押下情報を制御部２１へ入力する。居住環境情報は、ホームセンサ類２２及び迷惑防止スイッチ２３（或いは、緊急事態発生スイッチ）の検知出力情報を含む。
【００２８】
制御部２１は、居住環境情報取得部２１ａと、周辺居住環境情報取得部２１ｂと、周辺居住環境判定部２１ｃと、ホームシアターシステム制御部２１ｄとを有する。居住環境情報取得部２１ａは、ホームセンサ類２２及び／又は迷惑防止スイッチ２３からの検出情報及び／又はスイッチ押下情報を取得する。そして、居住環境情報取得部２１ａは、取得した自装置が配置される人家ｈの居住環境情報を通信制御部２５及びネットワークＮを介して居住環境情報管理サーバ装置４０へと送信する。
【００２９】
周辺居住環境情報取得部２１ｂは、居住環境情報管理サーバ装置４０から、ネットワークＮを介して、居住環境情報取得装置２０が配置される人家ｈの周辺の居住環境情報を取得する。
【００３０】
周辺居住環境判定部２１ｃは、周辺居住環境情報取得部２１ｂによって取得された人家ｈの周辺の居住環境情報に基づいて、人家ｈの周辺の居住環境がホームシアターシステム装置２４等の音響装置の音量を控えるべき状況（例えば、深夜で住民が就寝中である状況）であるか否かを判定する。
【００３１】
ホームシアターシステム制御部２１ｄは、周辺居住環境判定部２１ｃによって人家ｈの周辺の居住環境がホームシアターシステム装置２４等の音響装置の音量を控えるべき状況であると判定された場合、ホームシアターシステム装置２４等の音響装置に対して音量低減を指示する。音量低減によって、人家ｈの周辺の居住環境の静音を打ち破ることなく周辺住民に騒音による迷惑を防止することが出来る。
【００３２】
居住環境情報管理サーバ装置４０は、マイクロ・コンピュータ等の制御装置であるサーバ側制御部４１と、サーバ側居住環境情報記憶部４２と、ネットワークＮとの通信インターフェースであるサーバ側通信制御部４３とを有する。
【００３３】
サーバ側制御部４１は、サーバ側居住環境情報取得部４１ａと、サーバ側居住環境情報
送信部４１ｂとを有する。サーバ側居住環境情報取得部４１ａは、ネットワークＮを介して各人家ｈに備えられている各居住環境情報取得装置２０からそれぞれの居住環境情報を取得する。そして、取得した各人家ｈの各居住環境情報を整理して走行回避地点の抽出を行うとともに、ホームシアターシステム装置２４の音量制限情報を生成して、これらをサーバ側居住環境情報記憶部４２に記憶させる。
【００３４】
なお、居住環境情報は、図３の居住環境情報記憶テーブルの一例に示す様に、人家位置をＧＰＳ（Global  Positioning  System）による緯度及び経度と、ホームセンサ類情報と、迷惑防止スイッチ情報とホームシアター作動情報とを含む。緯度及び経度は、人家ｈの位置を特定する情報である。
【００３５】
ホームセンサ類情報は、各ホームセンサの検知情報である。例えば、動体／人体センサ２２ａによる検出情報が“あり”とは、人家ｈの内部に人が存在することを示す。また、施錠センサ２２ｂによる検出情報が“あり”とは、人家ｈの出入り口が施錠されていることを示す。また、ライフラインセンサ２２ｃによる検出情報が“あり”とは、電気、ガス、水道の使用量が低下しており、人家ｈの居住者が安静状態に入ったことを示す。
【００３６】
また、迷惑防止スイッチ２３のスイッチ情報が“あり”とは、迷惑防止スイッチ２３が人家ｈの居住者によって押下されたことを示す。また、ホームシアターシステム作動情報が“あり”とは、該当人家ｈにおいてホームシアターシステム装置２４が作動していることを示す。
【００３７】
サーバ側居住環境情報送信部４１ｂは、サーバ側居住環境情報記憶部４２に記憶される各人家ｈの各居住環境情報を、該当する人家ｈの位置の周辺に位置する車両１に対して、道路の一定区間毎に配置される無線基地局３０を介して放送型通信によって送信する。
【００３８】
また、サーバ側居住環境情報送信部４１ｂは、サーバ側居住環境情報記憶部４２に記憶される各人家ｈの各居住環境情報を、自車のＧＰＳ位置を送信して周辺の居住環境情報の送信を要求してきた車両１に対して、周辺の人家ｈの居住環境情報を送信する。
【００３９】
なお、各人家ｈの居住環境情報は、サーバ側居住環境情報記憶部４２に一時記憶される。そのため、サーバ側居住環境情報記憶部４２に一時記憶される各人家ｈの居住環境情報は、データ登録から一定時間が経過すると、居住環境情報記憶テーブルから削除されることとしてもよい。若しくは、データ登録から一定回数送信されると、居住環境情報記憶テーブルから削除されることとしてもよい。この様にして、サーバ側居住環境情報記憶部の記憶資源の圧迫を防止し、常に最新の居住環境情報を保持することが可能になる。
【００４０】
次に、図４を参照して、居住環境情報取得装置が実行する居住環境情報送信処理について説明する。同図は、居住環境情報送信処理手順を示すフローチャートである。
【００４１】
図４に示す様に、ステップＳ１０１では、居住環境情報取得装置２０の制御部２１の居住環境情報取得部２１ａは、居住環境情報管理サーバ装置４０との通信を確立し、ホームセンサ類２２及び／又は迷惑防止スイッチ２３から取得された居住環境情報を居住環境情報管理サーバ装置４０へ送信する。
【００４２】
続いて、ステップＳ１０２では、居住環境情報取得部２１ａは、ホームセンサ類２２及び／又は迷惑防止スイッチ２３から取得された居住環境情報を居住環境情報管理サーバ装置４０へ送信完了したか否かを判定する。送信完了したと判定された場合（ステップＳ１０２肯定）、居住環境情報送信処理は終了し、送信完了したと判定されなかった場合（ステップＳ１０２否定）、ステップＳ１０１へ移る。
【００４３】
次に、図５を参照して、居住環境情報取得装置が起動直後に実行する起動直後居住環境情報送信処理について説明する。同図は、起動直後居住環境情報送信処理手順を示すフローチャートである。
【００４４】
図５に示す様に、先ず、ステップＳ１１１では、居住環境情報取得装置２０の制御部２１の居住環境情報取得部２１ａは、ホームセンサ類２２及び／又は迷惑防止スイッチ２３から居住環境情報を取得する。続いて、ステップＳ１１２では、居住環境情報取得部２１ａは、図４に示した居住環境情報送信処理を実行する。この処理が終了すると、起動直後居住環境情報送信処理は終了する。
【００４５】
次に、図６を参照して、居住環境情報取得装置が周期的に実行する通常居住環境情報送信処理について説明する。同図は、通常居住環境情報送信処理手順を示すフローチャートである。先ず、ステップＳ１２１では、居住環境情報取得装置２０の制御部２１の居住環境情報取得部２１ａは、ホームセンサ類２２及び／又は迷惑防止スイッチ２３から居住環境情報を取得する。
【００４６】
続いて、ステップＳ１２２では、居住環境情報取得部２１ａは、ホームセンサ類２２及び／又は迷惑防止スイッチ２３の状態が変化したか否かを判定する。ホームセンサ類２２及び／又は迷惑防止スイッチ２３の状態が変化したと判定された場合（ステップＳ１２２肯定）、ステップＳ１２３へ移り、ホームセンサ類２２及び／又は迷惑防止スイッチ２３の状態が変化したと判定されなかった場合（ステップＳ１２２否定）、ステップＳ１２１へ移る。ステップＳ１２３では、図５に示した起動直後居住環境情報送信処理を実行する。この処理が終了すると、通常居住環境情報送信処理は終了する。
【００４７】
次に、図７を参照して、居住環境情報管理サーバ装置が実行する居住環境情報送信準備処理について説明する。同図は、居住環境情報送信準備処理手順を示すフローチャートである。
【００４８】
先ず、ステップＳ１３１では、居住環境情報管理サーバ装置４０のサーバ側居住環境情報取得部４１ａは、居住環境情報取得装置２０から居住環境情報を取得したか否かを判定する。居住環境情報を取得したと判定された場合（ステップＳ１３１肯定）、ステップＳ１３２へ移り、居住環境情報を取得したと判定されなかった場合（ステップＳ１３１否定）、ステップＳ１３１へ移る。
【００４９】
ステップＳ１３２では、サーバ側居住環境情報取得部４１ａは、居住環境情報取得装置２０から取得した居住環境情報を集約等によって整理し、車両１が走行を回避すべき地点を抽出してサーバ側居住環境情報記憶部４２の所定のテーブルに格納する。
【００５０】
続いて、ステップＳ１３３では、サーバ側居住環境情報取得部４１ａは、居住環境情報記憶テーブルに登録されているホームシアターシステム装置２４向けの音量制限情報を生成してサーバ側居住環境情報記憶部４２の所定のテーブルに格納する。
【００５１】
次に、図８を参照して、車載装置が実行する居住環境情報管理サーバ装置からの居住環境情報取得処理を説明する。同図は、居住環境情報取得処理手順を示すフローチャートである。
【００５２】
先ず、ステップＳ１４１では、車両１の車載装置１０の車載装置側制御部１１の車載装置側周辺居住環境情報取得部１１ａは、居住環境情報管理サーバ装置４０への居住環境情報の照会トリガが発生したか否かを判定する。ここで、照会トリガとは、例えば、車両１
が高速自動車道等の有料道路のインターチェンジを出た時、カーナビゲーション装置１２においてルート変更した時又は再度ルート検索した時、赤信号による車両１の停車時、車両１の右左折時等である。
【００５３】
居住環境情報管理サーバ装置４０への居住環境情報の照会トリガが発生したと判定された場合（ステップＳ１４１肯定）、ステップＳ１４２へ移り、居住環境情報管理サーバ装置４０への居住環境情報の照会トリガが発生したと判定されなかった場合（ステップＳ１４１否定）、ステップＳ１４１を繰り返す。
【００５４】
続いて、ステップＳ１４２では、車載装置側周辺居住環境情報取得部１１ａは、図４に示した居住環境情報送信処理を実行する。続いて、ステップＳ１４３では、車載装置側周辺居住環境情報取得部１１ａは、居住環境情報管理サーバ装置４０から居住環境情報を取得したか否かを判定する。居住環境情報を取得したと判定された場合（ステップＳ１４３肯定）、ステップＳ１４４へ移り、居住環境情報を取得したと判定されなかった場合（ステップＳ１４３否定）、ステップＳ１４３を繰り返す。
【００５５】
続いて、ステップＳ１４４では、車載装置側周辺居住環境判定部１１ｂは、カーナビゲーション装置１２によって検索されたルート上に、周辺居住環境を保持するために走行回避すべき地点が存在するか否かを判定する。ルート上に走行回避すべき地点が存在すると判定された場合（ステップＳ１４４肯定）、ステップＳ１４５へ移り、ルート上に走行回避すべき地点が存在すると判定されなかった場合（ステップＳ１４４否定）、居住環境情報取得処理は終了する。
【００５６】
続いて、ステップＳ１４５では、ルート変更指示部１１ｃは、カーナビゲーション装置１２に対して走行回避地点を回避する様にルート変更又はルート再検索を指示する。この処理が終了すると、居住環境情報取得処理は終了する。
【００５７】
次に、図９を参照して、居住環境情報管理サーバ装置が実行する車載装置へのルート変更指示処理について説明する。同図は、車載装置へのルート変更指示処理手順を示すフローチャートである。
【００５８】
先ず、ステップＳ１５１では、居住環境情報管理サーバ装置４０のサーバ側制御部４１のサーバ側居住環境情報送信部４１ｂは、車両１の車載装置１０に対して、ルート変更情報を送信する。この場合のルートとは、カーナビゲーション装置１２によって検索されたルートであってもよいし、車両１の運転者の意志で走行しようとしているルートであってもよい。車両１の運転者の意志で走行しようとしているルートは、ＧＰＳ機能によって取得される車両１の位置情報に基づいて、居住環境情報管理サーバ装置４０のサーバ側居住環境情報送信部４１ｂによって判断される。
【００５９】
続いて、ステップＳ１５２では、サーバ側居住環境情報送信部４１ｂは、車両１の車載装置１０に対するルート変更情報の送信が完了したか否かを判定する。ルート変更情報の送信が完了したと判定された場合（ステップＳ１５２肯定）、車載装置へのルート変更指示処理は終了し、ルート変更情報の送信が完了したと判定されなかった場合（ステップＳ１５２否定）、ステップＳ１５１へ移る。
【００６０】
なお、図９に示した居住環境情報管理サーバ装置が実行する車載装置へのルート変更指示処理は、図８に示した車載装置が実行する居住環境情報管理サーバ装置からの居住環境情報取得処理を実行してもなお車両１が適切なルート変更を行わなかった場合に、居住環境情報管理サーバ装置４０から直接カーナビゲーション装置１２に対してルート変更する様に実行されることとしてもよい。
【００６１】
次に、図１０を参照して、ホームシアターシステム装置作動中に居住環境情報取得装置が実行する居住環境情報管理サーバ装置からのホームシアターシステム装置作動中居住環境情報取得処理について説明する。同図は、ホームシアターシステム装置作動中居住環境情報取得処理手順を示すフローチャートである。
【００６２】
図１０に示す様に、先ず、ステップＳ１６１では、居住環境情報取得装置２０の制御部２１の周辺居住環境情報取得部２１ｂは、居住環境情報管理サーバ装置４０へ自装置が配設される人家ｈの周辺の居住環境情報を照会し、居住環境情報管理サーバ装置４０から人家ｈの周辺の居住環境情報を取得する。人家ｈの周辺の居住環境情報を取得が完了したと判定された場合（ステップＳ１６２肯定）、ホームシアターシステム装置作動中居住環境情報取得処理は終了し、人家ｈの周辺の居住環境情報を取得が完了したと判定されなかった場合（ステップＳ１６２否定）、ステップＳ１６１へ移る。
【００６３】
なお、図１０に示したホームシアターシステム装置作動中に居住環境情報取得装置が実行する居住環境情報管理サーバ装置からのホームシアターシステム装置作動中居住環境情報取得処理は、居住環境情報取得装置２０の周辺居住環境情報取得部２１ｂが周辺の居住環境情報を取得し、周辺居住環境判定部２１ｃが周辺の居住環境を判断して、ホームシアターシステム制御部２１ｄが自律的にホームシアターシステム装置２４の音量を下げ、周辺の居住環境の静音を保つために実行される。
【００６４】
次に、図１１を参照して、居住環境情報管理サーバ装置が実行する居住環境情報取得装置へのホームシアターシステム装置音量制御指示処理を説明する。同図は、居住環境情報取得装置へのホームシアターシステム装置音量制御指示処理手順を示すフローチャートである。
【００６５】
図１１に示す様に、先ず、ステップＳ１７１では、居住環境情報管理サーバ装置４０のサーバ側制御部４１のサーバ側居住環境情報送信部４１ｂは、図７で示した居住環境情報管理サーバ装置が実行する居住環境情報送信準備処理のステップＳ１３３で生成された音量制限情報を該当する居住環境情報取得装置２０へ送信する。音量制限情報は、ホームシアターシステム装置２４の音量制御情報に限らず、音量低減を視聴者に通知するメッセージであってもよい。
【００６６】
続いて、ステップＳ１７２では、サーバ側居住環境情報送信部４１ｂは、該当する居住環境情報取得装置２０への音量制限情報送信が完了したか否かを判定する。音量制限情報送信が完了したと判定された場合（ステップＳ１７２肯定）、ホームシアターシステム装置音量制御指示処理は終了し、音量制限情報送信が完了したと判定されなかった場合（ステップＳ１７２否定）、ステップＳ１７１へ移る。
【００６７】
なお、図１１に示した居住環境情報管理サーバ装置が実行する居住環境情報取得装置へのホームシアターシステム装置音量制御指示処理は、居住環境情報取得装置２０が周辺の居住環境情報を取得して周辺の居住環境を判断し、自律的にホームシアターシステム装置２４の音量を下げる機能を作動させてもなお音量が大きい場合に、強制的に音量を下げるために実行される。
【００６８】
または、居住環境情報取得装置２０が周辺の居住環境情報を取得して周辺の居住環境を判断し、自律的にホームシアターシステム装置２４の音量を下げる機能を有さない場合、メッセージ情報として視聴者に提示し、自発的な音量低減を促す。
【００６９】
以上、本発明の実施形態の一例を説明したが、本発明は、これに限られるものではなく
、特許請求の範囲に記載した技術的思想の範囲内で、更に種々の異なる実施形態で実施されてもよいものである。また、実施形態の一例に記載した効果は、これに限定されるものではない。
【００７０】
周辺の居住環境の維持を優先すると、車両１の運転者は、迂回ルートを取らざるを得ないため、走行距離が延びて燃料費がかさんだり目的地到着が遅れたりするというデメリットを被る。このデメリットを救済するために、迂回ポイントを迂回する毎にポイントを付与し、運転者の運転を評価するようにしてもよい。
【００７１】
また、上記実施形態の一例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記実施形態の一例で示した処理手順、制御手順、具体的名称、各種のデータやパラメータを含む情報については、特記する場合を除いて任意に変更することができる。
【００７２】
また、図示した各装置の各構成要素は機能概念的なものであり、必ずしも物理的に図示のように構成されていることを要しない。すなわち、各装置の分散及び／又は統合の具体的形態は図示のものに限られず、その全部又は一部を、各種の負荷や使用状況などに応じて、任意の単位で機能的又は物理的に分散又は統合して構成することができる。
【００７３】
さらに、各装置にて行なわれる各処理機能は、その全部または任意の一部が、ＣＰＵ（Central  Processing  Unit）又はＭＰＵ（Micro  Processing  Unit）、ＭＣＵ（Micro
Controller  Unit）などのマイクロ・コンピュータ）及び当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【図面の簡単な説明】
【００７４】
【図１】実施形態の一例に係る周辺居住環境判定システムの概要を説明するための図である。
【図２】実施形態の一例に係る周辺居住環境判定システムの構成を示すブロック図である。
【図３】居住環境情報記憶テーブルの一例を示す図である。
【図４】居住環境情報取得装置が実行する居住環境情報送信処理手順を示すフローチャートである。
【図５】居住環境情報取得装置が起動直後に実行する起動直後居住環境情報送信処理手順を示すフローチャートである。
【図６】居住環境情報取得装置が周期的に実行する居住環境情報送信処理手順を示すフローチャートである。
【図７】居住環境情報管理サーバ装置が実行する居住環境情報送信準備処理手順を示すフローチャートである。
【図８】車載装置が実行する居住環境情報管理サーバ装置からの居住環境情報取得処理手順を示すフローチャートである。
【図９】居住環境情報管理サーバ装置が実行する車載装置へのルート変更指示処理手順を示すフローチャートである。
【図１０】ホームシアターシステム装置作動中に居住環境情報取得装置が実行する居住環境情報管理サーバ装置からのホームシアターシステム装置作動中居住環境情報取得処理手順を示すフローチャートである。
【図１１】居住環境情報管理サーバ装置が実行する居住環境情報取得装置へのホームシアターシステム装置音量制御指示処理手順を示すフローチャートである。
【符号の説明】
【００７５】
１    車両
１０    車載装置
１１    車載装置側制御部
１１ａ    車載装置側周辺居住環境情報取得部
１１ｂ    車載装置側周辺居住環境判定部
１１ｃ    ルート変更指示部
１２    カーナビゲーション装置
１３    通信装置
１３ａ    アンテナ
２０    居住環境情報取得装置
２１    制御部
２１ａ    居住環境情報取得部
２１ｂ    周辺居住環境情報取得部
２１ｃ    周辺居住環境判定部
２１ｄ    ホームシアターシステム制御部
２２    ホームセンサ類
２２ａ    動体／人体センサ
２２ｂ    施錠センサ
２２ｃ    ライフラインセンサ
２３    迷惑防止スイッチ
２４    ホームシアターシステム装置
２５    通信制御部
３０    無線基地局
３０ａ    アンテナ
４０    居住環境情報管理サーバ装置
４１    サーバ側制御部
４１ａ    サーバ側居住環境情報取得部
４１ｂ    サーバ側居住環境情報送信部
４２    サーバ側居住環境情報記憶部
４３    サーバ側通信制御部
ｈ    人家
ｍ    就寝中の人
Ｎ    ネットワーク
Ｓ    周辺居住環境判定システム
【図１】
2010092189.tif 000003
【図２】
2010092189.tif 000004
【図３】
2010092189.tif 000005
【図４】
2010092189.tif 000006
【図５】
2010092189.tif 000007
【図６】
2010092189.tif 000008
【図７】
2010092189.tif 000009
【図８】
2010092189.tif 000010
【図９】
2010092189.tif 000011
【図１０】
2010092189.tif 000012
【図１１】
2010092189.tif 000013